(57)【特許請求の範囲】
【請求項１】
商品のデータ処理を実行したときに与えられる価値の付与を実行する種類ごとにそれぞれ設定された前記価値の値を価値情報として記憶可能な記憶部と、
前記価値情報の付与を宣言したことを示すフラグをセットする価値付与フラグ記憶部と、
商品情報を入力する入力手段と、
前記入力手段で入力された商品情報に基づいたデータ処理が実行された場合に前記フラグ記憶部に記憶されている前記価値情報を付与するフラグがセットされているかを判断するフラグ判断手段と、
前記フラグ判断手段により前記フラグがセットされていると判断した場合に、前記記憶部から前記種類に設定された前記価値情報を読み出して付与する価値付与処理を実行する価値付与手段と、
現在において前記価値の付与が可能な前記種類を表示器に表示する手段と、
を備えた商品データ処理装置。
【請求項２】
データを受信する受信部を備え、前記受信部に前記価値付与処理を実行するコマンドを受信したかを判断し、前記コマンドを受信したことを判断した場合に前記価値付与フラグ記憶部に前記フラグをセットするフラグセット手段をさらに有する、
請求項１に記載の商品データ処理装置。
【請求項３】
前記フラグセット手段は、装置の起動のタイミングで前記受信部が前記価値付与処理を実行するコマンドを受信したかを判断する、
請求項２に記載の商品データ処理装置。
【請求項４】
前記記憶部は、前記種類に対応してそれぞれ前記価値情報を付与する期間を記憶し、
前記価値付与手段は、前記データ処理の実行が前記期間内である前記種類に設定された前記価値情報を読み出して付与する、
請求項１ないし３のいずれか一項に記載の商品データ処理装置。
【請求項５】
前記価値付与手段は、前記入力手段で入力された商品情報に基づく商品の価格に対して前記価値情報に応じた値引処理を前記価値付与処理として実行する、
請求項１ないし４のいずれか一項に記載の商品データ処理装置。
【請求項６】
商品のデータ処理を実行したときに与えられる価値の付与を実行する種類ごとにそれぞれ設定された前記価値の値を価値情報として記憶可能な記憶部と、前記価値情報の付与を宣言したことを示すフラグをセットする価値付与フラグ記憶部と、
を備えたコンピュータを、
商品情報を入力する入力手段と、
前記入力手段で入力された商品情報に基づいたデータ処理が実行された場合に前記フラグ記憶部に記憶されている前記価値情報を付与するフラグがセットされているかを判断するフラグ判断手段と、
前記フラグ判断手段により前記フラグがセットされていると判断した場合に前記記憶部から前記種類に設定された前記価値情報を読み出して付与する価値付与処理を実行する価値付与手段と、
現在において前記価値の付与が可能な前記種類を表示器に表示する手段と、
として機能させるためのプログラム。
【発明の詳細な説明】
【技術分野】
【０００１】
本発明の実施の形態は、商品データ処理装置、およびプログラムに関する。
【背景技術】
【０００２】
ＰＯＳ（Point  of  Sales）端末やＥＣＲ（Electric  Cash  Resister）に代表される商品データ処理装置は、例えば商品に付されたバーコードを読み取って商品情報を取得し、この商品情報に基づいて商品情報のデータ処理を実行し、内蔵されたプリンタでレシート用紙に商品情報や合計金額等を印字してレシートとして発行するものである。このような商品データ処理装置は、商品情報のデータ処理以外に、ポイント付与を処理する機能が備わっており、例えば商品を購入した際にポイントを付与する。
また、最近は商品の購入以外にもポイントを付与するケースが増えてきており、例えば来店を促すための種々のポイントや、環境に配慮した活動の一環としてマイバッグを持参したときにエコポイント等を付与する機能を備えた装置もある。
【発明の概要】
【発明が解決しようとする課題】
【０００３】
しかしながら、来店ポイントやエコポイントの類は、取引毎にその宣言をしてポイントを付与しなければならず、あるいは、バッグにＩＣチップ等を取り付けて、これを読ませることで付与しており、いずれもオペレータの負担となっていた。
【課題を解決するための手段】
【０００４】
本実施の形態の商品データ処理装置は、商品のデータ処理を実行したときに与えられる価値の付与を実行する種類ごとにそれぞれ設定された前記価値の値を価値情報として記憶可能な記憶部と、前記価値情報の付与を宣言したことを示すフラグをセットする価値付与フラグ記憶部と、商品情報を入力する入力手段と、前記入力手段で入力された商品情報に基づいたデータ処理が実行された場合に前記フラグ記憶部に記憶されている前記価値情報を付与するフラグがセットされているかを判断するフラグ判断手段と、前記フラグ判断手段により前記フラグがセットされていると判断した場合に、前記記憶部から前記種類に設定された前記価値情報を読み出して付与する価値付与処理を実行する価値付与手段と、現在において前記価値の付与が可能な前記種類を表示器に表示する手段と、を備える。
【０００５】
本実施の形態のプログラムは、商品のデータ処理を実行したときに与えられる価値の付与を実行する種類ごとにそれぞれ設定された前記価値の値を価値情報として記憶可能な記憶部と、前記価値情報の付与を宣言したことを示すフラグをセットする価値付与フラグ記憶部と、を備えたコンピュータを、商品情報を入力する入力手段と、前記入力手段で入力された商品情報に基づいたデータ処理が実行された場合に前記フラグ記憶部に記憶されている前記価値情報を付与するフラグがセットされているかを判断するフラグ判断手段と、前記フラグ判断手段により前記フラグがセットされていると判断した場合に前記記憶部から前記種類に設定された前記価値情報を読み出して付与する価値付与処理を実行する価値付与手段と、現在において前記価値の付与が可能な前記種類を表示器に表示する手段と、
として機能させる。
【図面の簡単な説明】
【０００６】
【図１】図１は、本実施の形態のシステム図である。
【図２】図２は、本実施の形態のストアコンピュータのブロック図である。
【図３】図３は、本実施の形態のストアコンピュータのメモリマップを示す模式図である。
【図４】図４は、本実施の形態のストアコンピュータの処理を示すフローチャートである。
【図５】図５は、本実施の形態のストアコンピュータの画面を表す図である。
【図６】図６は、本実施の形態の商品データ処理装置の斜視図である。
【図７】図７は、本実施の形態の商品データ処理装置のブロック図である。
【図８】図８は、本実施の形態の商品データ処理装置のメモリマップを示す模式図である。
【図９】図９は、本実施の形態の商品データ処理装置の別のメモリマップを示す模式図である。
【図１０】図１０は、本実施の形態の商品データ処理装置の機能ブロック図である。
【図１１】図１１は、本実施の形態の商品データ処理装置の処理を示すフローチャートである。
【図１２】図１２は、本実施の形態の商品データ処理装置の画面を示す図である。
【図１３】図１３は、本実施の形態の商品データ処理装置の別の処理を示すフローチャートである。
【発明を実施するための形態】
【０００７】
以下、図１から図１３を参照して、本実施の形態に係る商品データ処理装置等について詳細に説明する。なお、本実施の形態では一例としてＰＯＳ端末について説明する。以下に説明する実施の形態によりこの発明が限定されるものではない。
【０００８】
図１は、本実施の形態のシステム図である。図１において、店舗の売上を総括するＳＣ（Store  Computer）５には、ＬＡＮ（Local  area  Network）を介して複数台（本実施の形態では５台）のＰＯＳ端末１が接続されている。ＰＯＳ端末１は、店舗で販売される商品の商品情報をデータ処理する。そして、ＰＯＳ端末１からＬＡＮ回線３５を介して処理されたデータを売上データとしてＳＣ５に送信する。ＳＣ５は、図示しないホストコンピュータに対してこの売上データを送信するとともに、ホストコンピュータから送信される各種の設定プログラムやデータをＰＯＳ端末１に送信する。
【０００９】
図２〜図５は、本実施の形態の商品データ処理装置と接続されるＳＣ５を説明するで図あり、図２はブロック図である。図２において、ＳＣ５は、制御主体となるＣＰＵ（Central  Processing  Unit）２１、各種プログラムを記憶するＲＯＭ（Read  Only  Memory）２２、各種データを展開するＲＡＭ（Random  Access  Memory）２３、各種プログラムおよびデータを記憶するハードディスクからなるメモリ部２４等を備えている。ＣＰＵ２１、ＲＯＭ２２、ＲＡＭ２３、メモリ部２４は、互いにデータバス４１を介して接続されている。ＣＰＵ２１とＲＯＭ２２とＲＡＭ２３とメモリ部２４が制御部１００を構成する。すなわち、制御部１００は、ＣＰＵ２１がＲＯＭ２２またはメモリ部２４に記憶されＲＡＭ２３に展開したプログラムに従って動作することによって、後述する制御処理を実行する。
【００１０】
また、データバス４１には、キーボード３１、表示器３３が、それぞれキーボードコントローラ３２、ディスプレイコントローラ３４を介して接続されている。さらに、データバス４１には、ＬＡＮＩ／Ｆ３６を介して外部のＬＡＮ回線３５に接続されている。
図３は、本実施の形態のストアコンピュータのメモリマップを示す模式図である。図５で設定されるポイントカテゴリー欄８７に記憶されたポイントカテゴリーと対応して、付与ポイント欄８８に価値として付与するポイント値が記憶されている。
【００１１】
図４は、本実施の形態のストアコンピュータの処理を示すフローチャートである。ＰＯＳ端末１にポイントを自動的に付与する機能を設定するために、ＳＣ５において制御部１００が設定画面を表示器３３に表示する（ステップＳＰ１１）。表示された画面の一例を図５に示す。図５において、ポイントの種類を示すポイント名称表示欄４２、ポイントの有効時間のうち付与開始の時刻を設定する開始時刻設定欄４３と付与を終了する時刻を設定する終了時刻設定欄４４、ポイントのカテゴリーを設定するポイントカテゴリー設定欄４５、ポイント付与の宣言コマンドを送信するＰＯＳ端末１を選択するＰＯＳ端末選択欄４６、ポイント付与の宣言コマンドをＰＯＳ端末１に送信する宣言キー４７、宣言を解除する解除キー４８が表示されている。
【００１２】
本実施の形態では、ポイント名称表示欄４２には、「雨の日ポイント」「早朝ポイント」「夕方ポイント」「午前中ポイント」「マイバッグポイント」が表示されている。なお、これらのポイントは一例であり、他のポイント名でもよい。ポイント名称表示欄４２に表示されたポイント名称のうち、ポイント付与を実行するポイント名の□にチェックを入れることでそのポイントが指定される。そして、チェックしたポイント名称の開始時刻設定欄４３にポイント付与の開始時刻を入力し、終了時刻設定欄４４にポイント付与の終了時刻を入力する。そして、ポイントカテゴリー設定欄４５に付与するポイントのカテゴリーを入力する。本実施の形態では、開始時刻設定欄４３と終了時刻設定欄４４とポイントカテゴリー設定欄４５への入力は、▽ボタンを操作したプルダウン機能によって行われる。
【００１３】
次に、ＰＯＳ端末選択欄４６においてポイント付与の宣言コマンドを送信するＰＯＳ端末を選択する。本実施の形態では、ＰＯＳ端末Ａ〜ＰＯＳ端末Ｅの５台のＰＯＳ端末１が設定可能である。この選択操作は、各ＰＯＳ端末□にチェックを入れることで選択される。
【００１４】
このようにして設定画面における設定が終了したら、制御部１００は、次に宣言キー４７が操作されたかを判断する（ステップＳＰ１２）。宣言キー４７が操作されたと判断した場合は（ステップＳＰ１２のＹｅｓ）、制御部１００は、設定したポイント付与の情報とポイント付与の宣言コマンドをＰＯＳ端末１に送信する（ステップＳＰ１３）。送信の際、ポイントカテゴリー設定欄４５で入力されたポイントカテゴリーに対応したポイント値を図３のポイントカテゴリー欄８７に記憶されたポイントカテゴリーと付与ポイント欄８８に記憶された付与するポイント値に基づいて抽出して、このポイント値もＰＯＳ端末１に送信する。
また制御部１００は、宣言キー４７ではなく解除キー４８が操作されたと判断した場合は（ステップＳＰ１２のＮｏ、ステップＳＰ１４のＹｅｓ）、解除コマンドをＰＯＳ端末１に送信し（ステップＳＰ１５）、すでにＰＯＳ端末１に送信した宣言コマンドを解除してポイント付与を終了させる。宣言キー４７と解除キー４８のいずれかが操作されるまで待機する（ステップＳＰ１４のＮｏ）。
【００１５】
次に、図６〜図１３を用いて本実施の形態の商品データ処理装置について説明する。図６は、本実施の形態の商品データ処理装置の一例であるＰＯＳ端末１の斜視図である。ＰＯＳ端末１は筐体２を備えている。この筐体２には、キーボード５５、表示器５７、レシート発行口４を有するプリンタ５８が取り付けられており、筐体２に内蔵されている電源から電流が供給され論理回路によって制御される。また、ＰＯＳ端末１にはバーコードリーダ５９が取り付けられている。このバーコードリーダ５９は、商品に付されたバーコードを光学的に読み取り、商品情報をＰＯＳ端末１に送信する。
【００１６】
プリンタ５８は、図示しないロール状のレシート用紙の収納部、印字部、搬送部を備えている。印字部は、収納部から引き出したレシート用紙に熱を与えて文字や図形等を印字するサーマルヘッドを有している。搬送部は、収納部に収納されたレシート用紙の先頭部分を引き出して印字部に搬送する。印字部で印字されたレシートは、レシート発行口４からプリンタ５８の外部に排出されて発行される。
【００１７】
図７は本実施の形態のＰＯＳ端末１のハードウェアの電気的接続を示すブロック図である。図７において、ＰＯＳ端末１は、制御主体となるＣＰＵ（Central  Processing  Unit）５１、各種プログラムを記憶するＲＯＭ（Read  Only  Memory）５２、各種データを展開するＲＡＭ（Random  Access  Memory）５３、各種プログラムおよびデータを記憶するハードディスクからなるメモリ部５４等を備えている。ＣＰＵ５１、ＲＯＭ５２、ＲＡＭ５３、メモリ部５４は、互いにデータバス８１を介して接続されている。ＣＰＵ５１とＲＯＭ５２とＲＡＭ５３とメモリ部５４が制御部２００を構成する。すなわち、制御部２００は、ＣＰＵ５１がＲＯＭ５２またはメモリ部５４に記憶されＲＡＭ５３に展開したプログラムに従って動作することによって、後述する制御処理を実行する。
【００１８】
また、データバス８１には、締めキー５５Ｓとマイバッグキー５５Ｍを含むキーボード５５、表示器５７、プリンタ５８、バーコードリーダ５９が、それぞれキーボードコントローラ６１、ディスプレイコントローラ６２、プリンタコントローラ６３、バーコードリーダコントローラ６４を介して接続されている。さらに、データバス８１には、貨幣を収納するための図示しないドロワを開放するドロワ開放装置７１がドロワＩ／Ｆ７３を介して接続されている。また、データバス８１はデータの受信部の機能を備えたＬＡＮＩ／Ｆ７４を介してＬＡＮ回線３５に接続されており、このＬＡＮ回線３５によって他のＰＯＳ端末１やＳＣ５と接続されている。したがって、ＳＣ５や他のＰＯＳ端末１からの情報はＬＡＮ回線３５を介してＬＡＮＩ／Ｆ７４で受信する。
【００１９】
次に、図８、図９を用いて、ＲＡＭ５３のメモリマップについて説明する。図８において、ＲＡＭ５３には、宣言フラグ部８２とポイント発行内容記憶部８３と発行ポイント合計値記憶部８４が設けられている。宣言フラグ部８２には、図５において宣言キー４７が操作され、後述するステップＳＰ２１で宣言コマンドを受信した場合にフラグ１をセットされ、宣言の解除キー４８が操作されたときにフラグ０をセットされる。ポイント発行内容記憶部８３には、図４において設定し宣言キー４７の操作によりステップＳＰ１３の処理でＳＣ５からＬＡＮ回線３５を経て送信され、ＬＡＮＩ／Ｆ７４で受信した情報が記憶されている。発行ポイント合計値記憶部８４には、詳細は後述するが、ポイント付与によって発行されたポイントの合計値を記憶している。
【００２０】
また図９は、図５でポイント名称表示欄４２にチェックを入れることで指定されて、ＳＣから送信されてポイント発行内容記憶部８３に記憶されているポイント発行内容を示す図である。ポイント発行内容記憶部８３は、ポイント名称記憶欄９５、ポイント期間記憶部９６、ポイント数記憶欄９７から構成されている。ポイント名称記憶欄９５は、付与する各種ポイントの種類であるポイント名を記憶している。ポイント期間記憶部９６は、各ポイント毎に開始時刻設定欄４３と終了時刻設定欄４４から入力された付与開始時刻と付与終了時刻とに基づいて作成されたポイント付与期間が記憶されている。ポイント数記憶欄９７は、ポイントカテゴリー設定欄４５から入力されたポイントカテゴリーに対応して図３のメモリマップで抽出されたポイント数が記憶されている。本実施の形態の場合、「雨の日来店」に対してポイント付与期間は「終日」が記憶されており、ポイント数には「２０ポイント」が記憶されている。同様に、「早朝来店」には「９時〜１０時」と「２５ポイント」が記憶されており、「夕方来店」には、「１８時〜２０時」と「１５ポイント」が記憶されており、「午前中来店」には、「１０時〜１２時」と「１５ポイント」が記憶されており、「マイバッグポイント」には、「都度」と「５ポイント」が記憶されている。
ここで、ポイント期間記憶部９６に具体的時間か「終日」が記憶されている場合はその時間内であれば自動的にポイントを付与し、「都度」が記憶されている場合は自動的にポイント付与されない。
【００２１】
次に、図１０を用いてＰＯＳ端末１の機能ブロック図を説明する。図１０において、制御部２００がＲＯＭ５２またはメモリ部５４に記憶された各種プログラムに従うことで、入力手段２０１、フラグ判断手段２０２、価値付与手段２０３、フラグセット手段２０４を機能させる。
【００２２】
入力手段２０１は、商品情報を入力する機能を有する。フラグ判断手段２０２は、入力手段で入力された商品情報に基づいたデータ処理が実行された場合にフラグ記憶部にセットされている価値情報を付与するフラグがセットされているかを判断する機能を備えている。価値付与手段２０３は、フラグ判断手段によりフラグがセットされていると判断した場合に記憶部から価値情報を読み出して付与する価値付与処理を実行する機能を備えている。フラグセット手段２０４は、データを受信する受信部に価値付与処理を実行するコマンドを受信したかを判断し、コマンドを受信したことを判断した場合に価値付与フラグ記憶部にフラグをセットする機能を有する。
【００２３】
次に、図１１と図１３のフローチャートを用いて、ＰＯＳ端末１における制御処理の概要について説明する。ＰＯＳ端末１の制御部２００が以下の制御を実行する。
【００２４】
図１１は、ＰＯＳ端末１の電源投入時等に実行される初期処理のフローチャートであり、制御部２００は、ＳＣ５から宣言コマンドをＬＡＮＩ／Ｆ７４で受信したかを判断し（ステップＳＰ２１）、受信したと判断した場合は（ステップＳＰ２１のＹｅｓ）、制御部２００は次に、宣言コマンドとともに受信したポイント付与の情報に自己のＰＯＳ端末１を指定する情報が含まれているかを判断する（ステップＳＰ２２）。この判断は、図５においてＰＯＳ端末選択欄４６に自己のＰＯＳ端末１が指定されたかの情報に基づいて判断される。そして、制御部２００が自己のＰＯＳ端末１が指定されていると判断した場合は（ステップＳＰ２２のＹｅｓ）、次に制御部２００は、宣言フラグ部８２にフラグ１を設定する（ステップＳＰ２３）。そして制御部１００は、記憶自己のＰＯＳ端末１のポイント発行内容記憶部８３に送信されたポイント発行内容を記憶する（ステップＳＰ２４）。そして制御部２００は、現在付与の対象となっているポイント名を表示器５７に表示する（ステップ２５）。
【００２５】
図１２に表示器５７への表示例を示す。図１２において、表示器５７は商品の情報を表示する商品表示欄９１と、現在付与が可能な対象ポイント名を表示する付与可能ポイント表示欄９２を表示している。付与可能ポイント表示欄９２には、現在の時刻とポイント期間記憶部８５に記憶されているポイント付与期間とを対比させて、現在ポイントが付与可能なポイント名を表示する。本実施の形態の場合、現在の時刻にポイント付与が可能な「早朝ポイント」「雨の日ポイント」「マイバッグポイント」が表示されている。その後にその他の初期処理を実行する（ステップＳＰ２６）。また、ＬＡＮＩ／Ｆ７４で宣言コマンドを受信していないと判断した場合や（ステップＳＰ２１のＮｏ）自己のＰＯＳ端末１が指定されていないと判断した場合は（ステップＳＰ２２のＮｏ）、他の処理を実行する（ステップＳＰ２６）。
【００２６】
また、宣言コマンドの受信ではない場合は（ステップＳＰ２１のＮｏ）、次に制御部２００は、解除キー４８の操作による解除コマンドを受信したかを判断する（ステップＳＰ２７）。そして解除コマンドを受信したことを判断した場合は（ステップＳＰ２７のＹｅｓ）、宣言フラグ部８２のフラグを０にして（ステップＳＰ２８）ポイント発行内容記憶部８３をクリアする（ステップＳＰ２９）。解除コマンドを受信しない場合は（ステップＳＰ２７のＮｏ）、ステップＳＰ２１に戻る。
【００２７】
図１３は、ＰＯＳ端末１がポイントを付与する場合の処理フローチャートである。制御部２００は、バーコードリーダ５９等による商品コードの入力があったかを判断し（ステップＳＰ３１）、締めキー５５Ｓの入力があったかを判断する（ステップＳＰ３３）。制御部２００は、商品コードおよび締めキー５５Ｓの入力があるまで待機する（ステップＳＰ３３のＮｏ）。制御部２００は、商品コードの入力があったと判断した場合は（ステップＳＰ３１のＹｅｓ）、商品情報のデータ処理を実行して（ステップＳＰ３２）ステップ３１に戻る。制御部２００は、商品コードの入力ではなく（ステップＳＰ３１のＮｏ）締めキー５５Ｓの入力があったと判断した場合は（ステップＳＰ３３のＹｅｓ）、次に制御部２００は、宣言フラグ部８２に記憶されているフラグが１であるかを判断する（ステップＳＰ３４）。フラグが１でないと判断した場合は（ステップＳＰ３４のＮｏ）そのまま終了し、フラグが１であると判断した場合は（ステップＳＰ３４のＹｅｓ）、制御部２００は、記憶されているポイント内容にしたがって本取引に対する付与ポイントとなる対象ポイントを計算して記憶する（ステップＳＰ３５）。この計算は、ポイント発行内容記憶部８３に記憶されている、付与対象ポイントの値を合計する。本実施の形態の場合、ポイント名称記憶欄８４に記憶された「雨の日ポイント」「早朝ポイント」「夕方ポイント」「午前中ポイント」のうち、「雨の日ポイント」「早朝ポイント」の２種類のポイントが現在の時刻に自動付与の対象となっているため、ポイント数記憶欄８６に記憶された、これらに対応するポイント値である「２０ポイント」「２５ポイント」の合計値の４５ポイントが発行ポイント合計値記憶部８３に記憶される。
【００２８】
次に、制御部２００は、マイバッグキー５５Ｍが操作されたかを判断する（ステップＳＰ３６）。マイバッグキー５５Ｍが操作されなければ（ステップＳＰ３６のＮｏ）、そのまま終了する。制御部２００は、マイバッグキー５５Ｍが操作されたと判断した場合は（ステップＳＰ３６のＹｅｓ）、ポイント発行内容記憶部８２に、ポイントを付与する対象のポイントにマイバッグポイントが含まれているかを判断する（ステップＳＰ３７）。含まれていない場合は（ステップＳＰ３７のＮｏ）そのまま終了する。制御部２００は、ポイントを付与する対象のポイントにマイバッグポイントが含まれていると判断した場合は（ステップ３７のＹｅｓ）、マイバッグポイント値を取得して発行ポイント合計値記憶部８３に加算して記憶する（ステップＳＰ３８）。このマイバッグポイント値はポイント発行内容記憶部８２に記憶されたマイバッグに対応したポイント数記憶欄８６から取得し、本実施の形態の場合は「５ポイント」である。そして締め処理を実行する（ステップＳＰ３９）が、この締め処理の中で、発行ポイント合計値記憶部８３に記憶されている価値としてのポイント値に相当する金額を値引き処理する。本実施の形態の場合は、４５ポイント＋５ポイントの５０ポイントを５０円の値引きする。
なお、値引き処理の代わりに付与ポイントをポイントカード等に累積する蓄積処理を実行するようにしてもよい。
【００２９】
このような本実施の形態の商品データ処理装置では、価値情報が記憶されている場合に前記価値情報に伴う価値を前記取引に与える価値処理を実行するようにしたため、価値を自動的に与えることが可能となる。
【００３０】
また、本実施の形態の商品データ処理装置では、価値処理を実行するコマンドを受信したかを判断し、前記コマンドを受信したことを判断した場合に前記記憶部に前記価値情報を記憶するため、価値情報を自動的に記憶することが可能となる。
【００３１】
また、本実施の形態の商品データ処理装置では、装置の起動のタイミングで前記受信部に前記価値処理を実行するコマンドを受信したかを判断するため、価値情報を起動時に自動的に記憶することが可能となる。
【００３２】
また、本実施の形態の商品データ処理装置では、価値情報に応じた値引処理を前記価値処理として実行するため、価値情報に応じた値引きが可能となる。
【００３３】
また、本実施の形態の商品データ処理装置では、価値を付与する期間内の価値の種類に対応した価値情報を付与するため、付与期間内の価値に対して価値を付与することが可能となる。
【００３４】
なお、本実施の形態は、例として提示したものであり、発明の範囲を限定することは意図していない。この本実施の形態は、その他の様々な形態で実施されることが可能であり、発明の要旨を逸脱しない範囲で、種々の省略、置き換え、変更を行うことができる。この本実施の形態やその変形は、発明の範囲や要旨に含まれるとともに、特許請求の範囲に記載された発明とその均等の範囲に含まれる。
【００３５】
例えば本実施の形態では、商品のデータ処理をしたときに与えられる価値としてポイントを用いて説明したが、ポイント以外の価値（例えば金額）であってもよい。
【００３６】
また、本実施の形態では、ＰＯＳ端末Ａ〜ＰＯＳ端末ＥのすべてのＰＯＳ端末１を宣言コマンドの送信先に指定したが、すべてのＰＯＳ端末を指定する必要なない。例えばサービスカウンター等に設置してあるＰＯＳ端末１には、ポイント発行の機能は不要であるため、このようなＰＯＳ端末１は指定しなくてもよい。
【００３７】
また、本実施の形態では、ＳＣ５からＬＡＮ回線３５を介してＰＯＳ端末１に宣言コマンドを送信したが、一つのＰＯＳ端末１から他のＰＯＳ端末１に宣言コマンドを送信するようにしてもよい。
【００３８】
また、本実施の形態では、商品データ処理装置としてＰＯＳ端末１を使用したが、ＥＣＲであってもよい。
【００３９】
なお、本実施の形態の商品データ処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４０】
また、本実施の形態の商品データ処理装置で実行されるプログラムを、インターネット等のネットワークに接続されたコンピュータ上に格納し、ネットワーク経由でダウンロードさせることにより提供するように構成しても良い。また、本実施の形態の商品データ処理装置で実行されるプログラムをインターネット等のネットワーク経由で提供または配布するように構成しても良い。
【００４１】
また、本実施の形態の商品データ処理装置で実行されるプログラムを、ＲＯＭ等に予め組み込んで提供するように構成してもよい。
【符号の説明】
【００４２】
２００  制御部
２０１  商品情報データ処理手段
２０２  フラグ判断手段
２０３  価値付与手段
【先行技術文献】
【特許文献】
【００４３】
【特許文献１】特開２００９−１１６８４３号公報
【図１】
0005647198.tif 000002
【図２】
0005647198.tif 000003
【図３】
0005647198.tif 000004
【図４】
0005647198.tif 000005
【図５】
0005647198.tif 000006
【図６】
0005647198.tif 000007
【図７】
0005647198.tif 000008
【図８】
0005647198.tif 000009
【図９】
0005647198.tif 000010
【図１０】
0005647198.tif 000011
【図１１】
0005647198.tif 000012
【図１２】
0005647198.tif 000013
【図１３】
0005647198.tif 000014